(57)【要約】【課題】ディスクパブリッシャのデモンストレーション動作の高速化を図る。【解決手段】ブランクディスクスタッカに蓄積したデモンストレーション配布用のディスクをドライブへセットするステップ（Ｓ２０７）と、ドライブに書き込み動作を行わせずにドライブからディスクを取り出すステップ（Ｓ２０８）と、取り出したディスクをディスク排出スタッカへ搬送するステップ（Ｓ２０９）とを含む。【選択図】図３
2008052858.tif 000002
【特許請求の範囲】
【請求項１】
ディスクにデータを書き込むためのドライブと、ブランクディスクを蓄積するためのブランクディスクスタッカと、データの書き込みが終了した作成済みディスクを蓄積するための作成済みディスクスタッカと、配布用に排出したディスクを蓄積するためのディスク排出スタッカと、前記ドライブと各スタッカとの間でディスクを搬送する搬送機構とを備えたディスクパブリッシャのデモンストレーション方法であって、
前記ブランクディスクスタッカに蓄積したデモンストレーション配布用のディスクを前記ドライブへセットするステップと、
前記ドライブに書き込み動作を行わせずに前記ドライブからディスクを取り出すステップと、
取り出したディスクを前記ディスク排出スタッカへ搬送するステップとを含むデモンストレーション方法。
【請求項２】
前記作成済みディスクスタッカに蓄積したブランクディスクを前記ドライブへセットするステップと、
前記ドライブに書き込み動作を行わせて前記デモンストレーション配布用のディスクを作成するステップと、
作成したデモンストレーション配布用のディスクを前記ブランクディスクスタッカに蓄積するステップとを含む請求項１記載のデモンストレーション方法。
【請求項３】
前記ブランクディスクスタッカに蓄積されているデモンストレーション配布用のディスクの数量が所定の数量を下回った場合に、前記デモンストレーション配布用のディスクを作成するステップを含む請求項２記載のデモンストレーション方法。
【請求項４】
請求項１から３の何れか一項記載のステップをコンピュータに実行させるプログラム。
【請求項５】
ディスクにデータを書き込むためのドライブと、ブランクディスクを蓄積するためのブランクディスクスタッカと、データの書き込みが終了した作成済みディスクを蓄積するための作成済みディスクスタッカと、配布用に排出したディスクを蓄積するためのディスク排出スタッカと、前記ドライブと各スタッカとの間でディスクを搬送する搬送機構とを備えたディスクパブリッシャを制御する装置であって、
前記ブランクディスクスタッカに蓄積したデモンストレーション配布用のディスクを前記ドライブへセットし、搬送したディスクを前記ドライブへセットし、前記ドライブに書き込み動作を行わせずに前記ドライブからディスクを取り出し、取り出したディスクを前記ディスク排出スタッカへ搬送する制御手段を備えるディスクパブリッシャの制御装置。
【請求項６】
前記制御手段は、前記作成済みディスクスタッカに蓄積したブランクディスクを前記ドライブへセットし、前記ドライブに書き込み動作を行わせて前記デモンストレーション配布用のディスクを作成し、作成したデモンストレーション配布用のディスクを前記ブランクディスクスタッカに蓄積することを含む請求項５記載のディスクパブリッシャの制御装置。
【請求項７】
前記制御手段は、前記ブランクディスクスタッカに蓄積されているデモンストレーション配布用のディスクの数量が所定の数量を下回った場合に、前記デモンストレーション配布用のディスクを作成することを含む請求項６記載のディスクパブリッシャの制御装置。
【発明の詳細な説明】
【技術分野】
【０００１】
本発明は、ＣＤ、ＤＶＤ等のディスクにデータを書き込むディスクパブリッシャのデモンストレーション技術に関する。
【背景技術】
【０００２】
従来、機密データの漏洩等を防止するため、データの外部への出力を外部記録媒体書き込み装置に一元化し、セキュリティの高いデータ管理を実現するシステムや方法が提案されている。その外部記録媒体書き込み装置の一例として、ディスクパブリッシャがある。ディスクパブリッシャは、ユーザーが指定したデータをＣＤやＤＶＤなどのディスクに書き込むもので、データ配布用のディスクの作成、配布と廃棄を把握することによりデータの管理を行うものである。
【発明の開示】
【発明が解決しようとする課題】
【０００３】
従来のディスクパブリッシャでは、機器の販売促進を目的とした効果的なデモンストレーションが考慮されていなかった。具体的には、ディスクパブリッシャの動作を説明するためにディスク作成・配布動作を実演する際に、最も時間を要するデータの書き込み工程のために短時間で的確に動作のデモンストレーションが行えないという問題があった。そこで本発明は、ディスクパブリッシャのデモンストレーションの高速化を図ることを目的とする。
【課題を解決するための手段】
【０００４】
本発明では、デモンストレーション用のディスクを予め作成、蓄積しておき、データ書き込み工程を省略してドライブを通過させることにより、短時間で的確に動作のデモンストレーションが行えるディスクパブリッシャを構築している。
【０００５】
具体的には、ディスクにデータを書き込むためのドライブと、ブランクディスクを蓄積するためのブランクディスクスタッカと、データの書き込みが終了した作成済みディスクを蓄積するための作成済みディスクスタッカと、配布用に排出したディスクを蓄積するためのディスク排出スタッカと、前記ドライブと各スタッカとの間でディスクを搬送する搬送機構とを備えたディスクパブリッシャのデモンストレーション方法であって、前記ブランクディスクスタッカに蓄積したデモンストレーション配布用のディスクを前記ドライブへセットするステップと、前記ドライブに書き込み動作を行わせずに前記ドライブからディスクを取り出すステップと、取り出したディスクを前記ディスク排出スタッカへ搬送するステップとを含む。この構成によれば、デモンストレーションにおいて、ドライブでデータの書き込み動作を行わないため、デモンストレーションを高速化することができる。
【０００６】
本発明において、前記作成済みディスクスタッカに蓄積したブランクディスクを前記ドライブへセットするステップと、前記ドライブに書き込み動作を行わせて前記デモンストレーション配布用のディスクを作成するステップと、作成したデモンストレーション配布用のディスクを前記ブランクディスクスタッカに蓄積するステップとを含む。この構成によれば、デモンストレーション配布用のディスクを、自動的に作成することができるため、外部で作成したディスクを供給するというような煩雑な操作を行う必要がない。
【０００７】
本発明において、前記ブランクディスクスタッカに蓄積されているデモンストレーション配布用のディスクの数量が所定の数量を下回った場合に、前記デモンストレーション配布用のディスクを作成するステップを含む。この構成によれば、デモンストレーション配布用のディスクの残量をモニタしているので、デモンストレーションが頻繁に繰り返され、短時間で多量のディスクが配布される場合でも的確にディスクを供給することができ、且つ無駄なディスクの作成を最小限に抑えることができる。
【発明の効果】
【０００８】
本発明によれば、デモンストレーションにおいて、ドライブでデータの書き込み動作を行わないため、デモンストレーションを高速化することができる。
【発明を実施するための最良の形態】
【０００９】
図１は、本発明の実施の形態におけるディスクパブリッシャを示す概略構成図である。ディスクパブリッシャ１００は、主に、Ａドライブ１０、Ｂドライブ１１、プリンタトレイ２０、オートローダ３０、内部制御装置４０、ブランクディスクスタッカ５０、作成済みディスクスタッカ６０、ディスク排出スタッカ７０、などで構成される。ディスクパブリッシャ１００は、ネットワーク２００を介して、運用者用パーソナルコンピュータ（ＰＣ）３００や作成者用パーソナルコンピュータ（ＰＣ）３１０などに接続される。
【００１０】
ディスクパブリッシャ１００は、ディスクにデータの書き込みを行うドライブを、Ａドライブ１０とＢドライブ１１の２基搭載しており、データの書き込み動作（または、データの上書きによる消去動作）を２基のドライブで平行して行うことができる。但し、これにとらわれるものではなく、ドライブが１基であっても本発明の要旨を実現可能であることは言うまでもない。
【００１１】
プリンタトレイ２０は、ディスクの盤面に印刷処理を行うプリンタ（図示省略）にディスクを供給するためのトレイであり、データの書き込みが終了したディスクは、オートローダ３０によりプリンタトレイ２０に搬送される。印刷処理が終了したディスクは、オートローダ３０により後述する各種スタッカへ搬送される。
【００１２】
オートローダ３０は、ディスクパブリッシャ１００内の各部にディスクを搬送するための搬送装置であり、上下動や回転の各動作によりディスクの取得、搬送、載置を行う。
【００１３】
内部制御装置４０は、ディスクパブリッシャ１００の動作全般を統括制御する制御部であり、ディスクパブリッシャ１００内に予め設定された制御プログラムや運用者ＰＣからの指示などに基づいて、ディスクの作成、配布動作などを実行する。
【００１４】
ブランクディスクスタッカ５０は、データの書き込みを行うためのブランクディスクを供給、蓄積するスタッカで、ブランクディスク５１はオートローダ３０によってドライブ１０または１１へ搬送される。
【００１５】
作成済みディスクスタッカ６０は、ドライブ１０または１１でデータの書き込みが行われたディスクを一時的に蓄積するためのスタッカで、作成済みのディスク６１はこのスタッカで所定時間格納され、その後、後述するディスク排出スタッカ７０へ排出される。
【００１６】
ディスク排出スタッカ７０は、作成済みディスクまたは上書き消去処理済みディスク７１をユーザーに配布するために排出するスタッカである。ディスク排出スタッカ７０には、ドライブ１０または１１から作成済みのディスクが直接搬送されたり、前述の作成済みディスクスタッカ６０で一時蓄積された作成済みのディスクが搬送されたりする。
【００１７】
運用者用ＰＣ３００は、ディスクパブリッシャ１００への各種設定などを遠隔から行うための端末である。尚、各種設定は、設定の重要度に応じて、権限を有する運用者のみが行えるような構成とすることが好ましい。一方、作成者用ＰＣ３１０は、配布するディスクの作成指示を行う端末である。ディスクの作成者に対しても所定の認証等を行ってデータの外部出力が厳重に管理されることが好ましい。
【００１８】
図２は、本発明の実施の形態におけるディスクパブリッシャのディスク作成動作手順を示すフローチャートである。ディスクパブリッシャ１００は、作成者用ＰＣ３１０などからディスク作成の指示を受信すると、内部制御装置４０の制御により、オートローダ３０がブランクディスクスタッカ５０にスタックされたブランクディスクをピックアップし（ステップＳ１０１）、Ａドライブ１０にセットする（ステップＳ１０２）。次に、Ａドライブ１０でデータライトを行って（ステップＳ１０３）、作成済みディスクを作成済みディスクスタッカ６０またはディスク排出スタッカ７０へ搬送する（ステップＳ１０４）。
【００１９】
図３は、本発明の実施の形態におけるディスクパブリッシャのデモンストレーション動作手順を示すフローチャートである。内部制御装置４０の制御により、オートローダ３０がブランクディスクスタッカ５０にスタックされたブランクディスクをピックアップし（ステップＳ２０１）、Ａドライブ１０へセットする（ステップＳ２０２）。次に、Ａドライブ１０でデータライトを行って（ステップＳ２０３）、作成済みディスク（デモンストレーション配布用ディスク）をブランクディスクスタッカ５０にスタックする（ステップＳ２０４）。作成されるディスクには、製品説明など、デモンストレーションのターゲットユーザーに提供したい情報が予め書き込まれる。以上は、デモンストレーション配布用ディスクの事前準備動作である。
【００２０】
次に、ディスクパブリッシャ本体の特定ボタンの押下操作などによるデモンストレーションの動作指示を検知し（ステップＳ２０５）、動作指示を検知すると（ステップＳ２０５のＹｅｓ）、内部制御装置４０は、オートローダ３０を動作させ、スタックした配布用ディスクをブランクディスクスタッカ５０から取得し（ステップＳ２０６）、Ｂドライブ１１へセットする（ステップＳ２０７）。
【００２１】
Ｂドライブ１１にセットはするものの、書き込み動作は行われないため、オートローダ３０は、即座にディスクを取り出し（ステップＳ２０８）、ディスク排出スタッカ７０へ搬送、排出する（ステップＳ２０９）。排出された作成済みのディスクは、デモンストレーションの参加ユーザーへ配布される。
【００２２】
上記のデモンストレーションでは、ディスクを作り置きしておくため、将来予想を誤るとディスクが無駄になるという問題が生じる。そこで、作成済みディスクスタッカ６０にブランクディスクをスタックしておき、ブランクディスクスタッカ５０のディスクの残数をモニタし（ステップＳ２１０）、残数が所定数より少なくなった場合には（ステップＳ２１０のＮｏ）、作成済みディスクスタッカ６０のブランクディスクをＡドライブ１０へセットし（ステップＳ２１１）、デモンストレーション用データの書き込みを行い（ステップＳ２１２）、作成済みの配布用ディスクをブランクディスクスタッカ５０へ搬送して補充する（ステップＳ２１３）。
【００２３】
デモンストレーション配布用ディスクの補充終了後や、ステップＳ２１０において配布用ディスクの残数が所定数以上あると判定された場合には、ステップＳ２０５に戻り、デモンストレーション開始指示の検知以降の処理手順を繰り返す。以上のデモンストレーション動作手順により、デモンストレーションの高速化とディスクの無駄の回避とを両立させることができる。
【図面の簡単な説明】
【００２４】
【図１】本発明の実施の形態におけるディスクパブリッシャを示す概略構成図である。
【図２】本発明の実施の形態におけるディスクパブリッシャのディスク作成動作手順を示すフローチャートである。
【図３】本発明の実施の形態におけるディスクパブリッシャのデモンストレーション動作手順を示すフローチャートである。
【符号の説明】
【００２５】
１０  Ａドライブ
１１  Ｂドライブ
２０  プリンタトレイ
３０  オートローダ
４０  内部制御装置
５０  ブランクディスクスタッカ
６０  作成済みディスクスタッカ
７０  ディスク排出スタッカ
１００  ディスクパブリッシャ
２００  ネットワーク
３００  運用者用ＰＣ
３１０  作成者用ＰＣ
【図１】
2008052858.tif 000003
【図２】
2008052858.tif 000004
【図３】
2008052858.tif 000005